(57)【特許請求の範囲】
【請求項１】
便器の製造方法であって、
前記便器は、
ボウル部が形成された便器本体と、
縦面に固定可能な支持フレームとを具備し、
前記便器本体は、
前記ボウル部の上端部に設けられた支持体収納部を備え、
前記支持フレームは、
前記支持体収納部に収納され、前記支持体収納部を支持する支持体を備え、
前記支持体収納部は、
第一部分と、
前記第一部分とは別体の第二部分とを有し、
前記第一部分に、
前記支持体を配置可能な配置空間と、
前記配置空間に通じる開口部とが形成され、
前記支持体を前記開口部を通して前記配置空間に配置し、この後、前記第二部分を前記開口部を覆うように前記第一部分に接合して、前記第一部分と前記第二部分とにより、前記支持体を覆うことを特徴とする便器の製造方法。
【請求項２】
前記第一部分と前記第二部分との各々は、合成樹脂製であり、前記第二部分を前記第一部分に溶着又は接着により接合することを特徴とする請求項１に記載の便器の製造方法。
【請求項３】
前記支持体収納部は、
前記ボウル部の上端部から上方に向かって延びた内周部と、
前記内周部の上端部から外側に向かって延びた横面部と、
前記横面部の外側端部から下方に向かって延びて前記内周部に対向する外周部とを有し、
前記支持体は前記横面部を下方から支持することを特徴とする請求項１または請求項２に記載の便器の製造方法。
【請求項４】
前記第一部分は、
前記内周部を含むことを特徴とする請求項３に記載の便器の製造方法。
【請求項５】
前記第一部分は、
前記内周部から外側に向かって突出した突出部を含み、
前記支持体は、前記突出部の外側端面に沿った状態で前記支持体収納部に収納されることを特徴とする請求項４に記載の便器の製造方法。
【請求項６】
前記便器は、
前記支持体収納部に収納される介在部材を具備し、
前記介在部材および前記支持体を、前記介在部材が前記内周部の外側面に沿い、かつ前記支持体が前記介在部材の外側面に沿った状態で、前記配置空間に配置し、この後、前記第二部分を前記第一部分に接合することを特徴とする請求項４に記載の便器の製造方法。
【請求項７】
前記介在部材は、
外側に向かって開口した溝部を有し、
前記介在部材および前記支持体を、前記介在部材が前記横面部の下面に沿い、かつ前記溝部に前記支持体が嵌め込まれた状態で、前記配置空間に配置し、この後、前記第二部分を前記第一部分に接合することを特徴とする請求項６に記載の便器の製造方法。
【請求項８】
前記内周部と前記支持体との各々は、前記ボウル部の周方向の全長に亘って設けられ、
前記介在部材および前記支持体を、前記介在部材が前記内周部において少なくとも前記ボウル部の前後左右の端部に対応する部分に沿い、かつ前記支持体の少なくとも前記ボウル部の前後左右の端部に対応する部分が前記介在部材に沿った状態で、前記配置空間に配置し、この後、前記第二部分を前記第一部分に接合することを特徴とする請求項６または請求項７に記載の便器の製造方法。
【請求項９】
前記支持体収納部は、
前記支持体の下面に接する下接触部を有することを特徴とする請求項３〜８のいずれか１項に記載の便器の製造方法。
【請求項１０】
前記便器は、
前記支持体と前記横面部との間に配置される緩衝材を具備することを特徴とする請求項９に記載の便器の製造方法。
【請求項１１】
前記ボウル部は、
前記下接触部と、
前記下接触部の前方に位置して上面が前記下接触部よりも下方に位置する仮支持部と、
前記仮支持部の上面と前記下接触部の前記上面とを繋ぐ傾斜面とを有し、
前記支持体を前記仮支持部で下方から支持した状態で、前記第二部分を前記第一部分に接合し、この後、前記支持フレームを前記便器本体に対して相対的に移動し、これにより前記支持体を前記仮支持部の前記上面から前記傾斜面を介して前記下接触部の前記上面までスライドして、前記支持体を前記下接触部と前記横面部との間に嵌め込むことを特徴とする請求項９または請求項１０に記載の便器の製造方法。
【請求項１２】
前記便器本体は、
前記ボウル部を外側から覆うスカート部を備え、
前記スカート部は、
前記外周部と、
前記下接触部と、
前記下接触部の後方に位置して上面が前記下接触部の上面よりも下方に位置する仮支持部と、
前記仮支持部の前記上面と前記下接触部の前記上面とを繋ぐ傾斜面とを有し、
前記支持体を前記仮支持部で下方から支持した状態で、前記第二部分を前記第一部分に接合し、この後、前記支持フレームを前記便器本体に対して相対的に移動し、これにより前記支持体を前記仮支持部の前記上面から前記傾斜面を介して前記下接触部の前記上面までスライドして、前記支持体を前記下接触部と前記横面部との間に嵌め込むことを特徴とする請求項９または請求項１０に記載の便器の製造方法。
【請求項１３】
前記内周部に、
前記下接触部と、
後端が前記下接触部の上面の前端に繋がり、前方に近い部分ほど下方に位置するように傾斜した傾斜面とが形成され、
前記便器本体は、
前記ボウル部を外側から覆うスカート部を備え、
前記スカート部は、
前記外周部と、
前記傾斜面の前方に位置し、上面が前記下接触部の上面よりも下方に位置する仮支持部とを有し、
前記支持体を前記仮支持部で下方から支持した状態で、前記第二部分を前記第一部分に接合し、この後、前記支持体を前記仮支持部の前記上面から前記傾斜面を介して前記下接触部の前記上面までスライドして、前記支持体を前記下接触部と前記横面部との間に嵌め込むことを特徴とする請求項９または請求項１０に記載の便器の製造方法。
【請求項１４】
前記便器本体は、
被固定部を備え、
前記支持フレームは、
固定部を備え、
前記被固定部の前面が前記固定部の後面に沿った状態で、前記被固定部を前記固定部に固着具を用いて固定することを特徴とする請求項１〜１３に記載の便器の製造方法。
【発明の詳細な説明】
【技術分野】
【０００１】
本発明は、便器の製造方法に関する。
【背景技術】
【０００２】
特許文献１には、壁掛け便器の設置構造が開示されている。この設置構造では、壁面に固定されたブラケットに、便器が固定されている。
【先行技術文献】
【特許文献】
【０００３】
【特許文献１】特開平１０−２７３９２７号公報
【発明の概要】
【発明が解決しようとする課題】
【０００４】
ところで、前記ブラケットは前記便器を支持する部分が露出するため、見栄えが良くない。また、特許文献１の便器の設置構造では、見栄えを良くするために、前記ブラケットが前記便器に支持されたアンダーカバーによって覆われているが、便器を施工した後に、アンダーカバーを施工する必要がある。
【０００５】
本発明は前記事情に鑑みてなされたものであって、支持フレームにおいて便器を支持する部分が外観上見え難く、施工性が良い便器の製造方法を提供することを目的とする。
【課題を解決するための手段】
【０００６】
前記目的を達成するために本発明の便器の製造方法は、以下の構成を有する。前記便器は、ボウル部が形成された便器本体と、縦面に固定可能な支持フレームとを具備する。前記便器本体は、前記ボウル部の上端部に設けられた支持体収納部を備える。前記支持フレームは、前記支持体収納部に収納され、前記支持体収納部を支持する支持体を備える。前記支持体収納部は、第一部分と、前記第一部分とは別体の第二部分とを有する。前記第一部分に、前記支持体を配置可能な配置空間と、前記配置空間に通じる開口部とが形成される。前記支持体を前記開口部を通して前記配置空間に配置し、この後、前記第二部分を前記開口部を覆うように前記第一部分に接合して、前記第一部分と前記第二部分とにより、前記支持体を覆う。
【発明の効果】
【０００７】
本発明に係る便器の製造方法は、支持フレームにおいて便器を支持する部分が外観上見え難く、かつ施工性が良い便器を製造できる。
【図面の簡単な説明】
【０００８】
【図１】図１は、本発明の一実施形態に係る便器の設置状態を示した斜視図である。
【図２】図２は、同上の便器の支持フレームの斜視図である。
【図３】図３は、同上の便器の設置状態を示した水平断面図である。
【図４】図４は、同上の便器の設置状態を示し、鉛直面に沿った断面図である。
【図５】図５は、図４のＡ部の拡大図である。
【図６】図６は、同上の便器の便器本体を示し、ボウル部の図示を省略した斜視図である。
【図７】図７は、同上の便器の被固定片と縦片部との接続構造を示した、鉛直面に沿った断面図である。
【図８】図８は、同上の便器のリム部をボウル部およびスカート部に接合する前の状態を示した断面図である。
【図９】図９は、変形例１に係る便器の図５に対応する部分の断面図である。
【図１０】図１０は、変形例２に係る便器の図５に対応する部分の断面図である。
【図１１】図１１は、変形例３に係る便器の図５に対応する部分の断面図である。
【図１２】図１２は、変形例４に係る便器の図５に対応する部分の断面図である。
【図１３】図１３は、同上の便器の設置状態を示した水平断面図である。
【図１４】図１４は、変形例５に係る便器の設置状態を示した水平断面図である。
【図１５】図１５Ａは、図１４のＢ−Ｂ線断面図である。図１５Ｂは、図１４のＣ−Ｃ線断面図である。
【図１６】図１６は、変形例５に係る便器の他例を示した図５に対応する部分の断面図である。
【図１７】図１７Ａは、変形例６に係る便器の図５に対応する部分の断面図である。図１７Ｂは、変形例７に係る便器の図５に対応する部分の断面図である。
【図１８】図１８Ａは、変形例８に係る便器の図５に対応する部分の断面図である。図１８Ｂは、変形例８に係る便器の支持体を横面部と突出片との間に嵌め込む前の状態を示した断面図である。
【図１９】図１９Ａは、変形例９に係る便器の図５に対応する部分の断面図である。図１９Ｂは、変形例９に係る便器の支持体を横面部とリブとの間に嵌め込む前の状態を示した断面図である。
【図２０】図２０は、同上の便器の被固定片と縦片部との接続構造を示した、鉛直面に沿った断面図である。
【図２１】図２１Ａは、変形例１０に係る便器の図５に対応する部分の断面図である。図２１Ｂは、変形例１０に係る便器の支持体を横面部とリブとの間に嵌め込む前の状態を示した断面図である。
【図２２】図２２Ａは、変形例１１に係る便器の被固定片と縦片部との接続構造を示した、鉛直面に沿った断面図である。図２２Ｂは、変形例１２に係る便器の被固定片と縦片部との接続構造を示した、鉛直面に沿った断面図である。
【図２３】図２３は、変形例１３に係る便器の設置状態を示した、鉛直面に沿った断面図である。
【発明を実施するための形態】
【０００９】
以下に示す実施形態は、便器の製造方法に関し、詳しくは、壁面等の縦面に取り付けられる便器の製造方法に関する。
【００１０】
（１）便器
本実施形態の便器１は、図１に示すように、トイレルームの壁面などの縦面７０に取り付けられる壁掛け便器である。
【００１１】
以下では、便器１に着座したユーザーを基準にした方向を用いて説明する。すなわち、便器１に着座したユーザーの向く方向を前方とし、設置された便器１から縦面７０に向かう方向を後方とする。また、前方および後方に平行な方向を前後方向とし、前後方向に直交しかつ水平面に沿う方向を左右方向とする。
【００１２】
便器１は、床面７１から離れて配置される。このため、ユーザーは、便器１の下方に位置する床面７１を容易に清掃できる。
【００１３】
便器１は、便器本体３と、縦面７０に固定可能な支持フレーム２とを具備している。
【００１４】
（１．１）支持フレーム
支持フレーム２は、便器本体３を支持する。支持フレーム２は、ユーザーが便器１に着座した場合にかかる荷重に耐えられるように、例えば鉄，ステンレス，アルミニウム等の金属や、カーボン、木材等から形成される。
【００１５】
支持フレーム２は、固定体２１と、固定体２１から前方に突出した支持体２０とを備えている。
【００１６】
固定体２１は、壁面などの縦面７０に固定される部分である。図２に示すように、固定体２１は、一対の縦体２２と、一対の縦体２２を連結する横体２３とを有している。一対の縦体２２は、上下方向に延びた中空パイプにより構成されており、左右方向に離れている。
【００１７】
横体２３は、一対の縦体２２の上端部間に配置され、一対の縦体２２に固定されている。横体２３は、左右方向と直交する断面形状が略Ｃ字状である。
【００１８】
横体２３には、複数の固着具挿通孔２３１が設けられている。複数の固着具挿通孔２３１は、左右方向に並んでいる。
【００１９】
横体２３は、図１および図３に示すように、縦面７０に沿って配置された状態で、複数の固着具７３を用いて縦面７０に取り付けられる。
【００２０】
複数の固着具７３の各々は、ビスまたはボルトで構成されるねじ具である。すなわち、横体２３は、複数の固着具挿通孔２３１の各々に通された固着具７３を縦面７０にねじ込むことで、縦面７０に取り付けられる。なお、固着具７３は、リベット、釘などであってもよい。
【００２１】
支持体２０は、図１に示すように、固定体２１の上部から前方に向かって突出している。支持体２０は、便器本体３を支持する部分である。支持体２０は、図３に示すように、前後方向に延びた一対の支持部２４と、一対の支持部２４の前端部同士を連結する前側連結部２５とを有している。
【００２２】
一対の支持部２４の各々は、平面視直線状である。一対の支持部２４は、一対の縦体２２から前方に向かって突出しており、左右方向に離れている。前側連結部２５は、上方から見て（以下、平面視）半円弧状に形成されている。
【００２３】
一対の支持部２４および前側連結部２５は、平面視Ｕ字状の角パイプにより構成されており、連続している。一対の支持部２４の平坦な上面と、前側連結部２５の平坦な上面とは面一である。
【００２４】
図２に示すように、本実施形態の支持フレーム２は、左右一対の補強部８をさらに有している。一対の補強部８は、一対の支持部２４を、それぞれ一対一で支持する。一対の補強部８の各々は、例えば筋交いである。各補強部８は、一端部が対応する支持部２４の前端部に連結され、他端部が対応する縦体２２の下端部に連結されており、対応する支持部２４と対応する縦体２２との間に架け渡されている。
【００２５】
各補強部８は、対応する支持部２４を下方から支持する。各補強部８は、対応する縦体２２と対応する支持部２４との相対的な位置関係を維持し、支持フレーム２を補強する。
【００２６】
本実施形態の支持フレーム２は、便器本体３が固定される固定部２００をさらに備えている。固定部２００は、左右一対の固定片２０１を有している。一対の固定片２０１は、一対の補強部８にそれぞれ一対一の関係で設けられている。
【００２７】
一対の固定片２０１の各々は、補強部８から下方に向かって突出している。各固定片２０１は、水平断面形状がＬ字状であり、厚み方向が前後方向と平行な板状の縦片部２０２を含んでいる。
【００２８】
（１．２）便器本体
図４に示す便器本体３は、便器１の主体を構成する。便器本体３にはボウル部３１が形成されている。本実施形態の便器本体３は、ボウル部３１と、リム部３３と、スカート部３６とを備えている。ボウル部３１、リム部３３、およびスカート部３６の各々は、合成樹脂製であり、ボウル部３１、リム部３３、およびスカート部３６は、例えば同じ材料から形成される。
【００２９】
ボウル部３１は、汚物を受ける部分であり、便器本体３の上方に向かって開口した椀状に形成されている。
【００３０】
ボウル部３１は、上開口部３１１と、下開口部３１２と、突出片３２とを含んでいる。上開口部３１１は、ボウル部３１の上端部に形成されており、ボウル部３１は上開口部３１１から上方に向かって開口している。下開口部３１２は、ボウル部３１の下端部に形成されている。
【００３１】
突出片３２は、上開口部３１１の開口周縁から、水平面に沿ってかつ外側に向かって突出している。突出片３２は、上開口部３１１の開口周縁の周方向の全長にわたって形成されており、フランジ状である。
【００３２】
ボウル部３１の上端部には、支持体２０を収納する支持体収納部３０が設けられている。支持体収納部３０は、ボウル部３１の周囲において、後方に位置する部分を除く部分（すなわち、前側の部分と左右両側の部）に連続して設けられている。
【００３３】
図５に示すように、支持体収納部３０は、支持体２０を配置可能な配置空間３００が形成された第一部分３０１と、第一部分３０１とは別体の第二部分３０２とを有している。
【００３４】
本実施形態の第一部分３０１は、リム部３３の一部であり、第二部分３０２は、スカート部３６の一部である。
【００３５】
リム部３３は、ボウル部３１の上端部に設けられている。リム部３３は、内周部３３０と、フランジ部３３１と、横面部３３６とを有している。内周部３３０と、フランジ部３３１と、横面部３３６とは、一体に形成されている。
【００３６】
図３に示すように、内周部３３０は、ボウル部３１の周方向の全長に亘っており、平面視環状に形成されている。内周部３３０は、図５に示すように、ボウル部３１の上端部から上方に向かって延びている。内周部３３０は、上下方向の中間部が内側に向かって突出するように屈曲している。
【００３７】
内周部３３０は、下内周部３３２と、上内周部３３３とを含んでいる。下内周部３３２は、ボウル部３１の上開口部３１１の周縁から、内側上方に向かって延びている。下内周部３３２は、周方向と直交する断面において上方に凹となるように、湾曲している。
【００３８】
下内周部３３２の下端部は、ボウル部３１の上開口部３１１の開口周縁に対して、溶着により接合されている。
【００３９】
上内周部３３３は、下内周部３３２の内側の端部から上方に向かって延びており、上方に近い部分ほど外側に位置するように傾斜している。
【００４０】
フランジ部３３１は、下内周部３３２の下端部（内周部３３０の下端部）から水平面に沿って外側に向かって延びている。なお、フランジ部３３１は、ボウル部３１の突出片３２に溶着により接合されてもよい。
【００４１】
横面部３３６は、上内周部３３３の上端部（内周部３３０の上端部）から水平面に沿って外側に向かって延びている。横面部３３６は、内周部３３０の周方向の全長に亘って形成されている。
【００４２】
図５に示すように、支持体収納部３０の第一部分３０１は、内周部３３０と、横面部３３６と、フランジ部３３１とで構成されている。第一部分３０１には、配置空間３００と開口部３０３とが形成されている。
【００４３】
配置空間３００は、フランジ部３３１と、内周部３３０と、横面部３３６とで囲まれた空間である。開口部３０３は、フランジ部３３１の外側端部と横面部３３６の外側端部との間に形成されている。配置空間３００は、リム部３３にスカート部３６が接合される前の状態において、開口部３０３を介して外側に向かって開口する。
【００４４】
配置空間３００には、支持フレーム２の支持体２０が配置されている。支持体２０は、横面部３３６とフランジ部３３１との間に嵌め込まれており、内周部３３０に沿って配置されている。
【００４５】
横面部３３６においてボウル部３１の後方に位置する部分を除く部分は、支持体２０の上面に接している。これにより、横面部３３６は、支持体２０によって下方から支持されている。すなわち、横面部３３６は、便器本体３において支持体２０で支持される部分（被支持部）である。
【００４６】
フランジ部３３１の上面は、支持体２０の下面に接している。すなわち、フランジ部３３１は、支持体収納部３０において支持体２０の下面に接する下接触部３０４を構成している。
【００４７】
便器本体３は、リム部３３の内周部３３０が平面視Ｕ字状の支持体２０の内側面に接することで、支持フレーム２に対して、前方への移動および左右両方向への移動が規制される。
【００４８】
図３に示すように、スカート部３６は、平面視Ｕ字状に形成されている。図５に示すように、スカート部３６の上端は、リム部３３の横面部３３６の外側端部に接合されている。この接合は、溶着により行われる。スカート部３６は、ボウル部３１と支持フレーム２とを外側から覆っている。
【００４９】
スカート部３６の上端部は、内周部３３０に対向する部分となる外周部３６０を構成している。本実施形態では、外周部３６０により支持体収納部３０の第二部分３０２が構成されている。
【００５０】
外周部３６０は、横面部３３６の外側端部から下方に向かって延びている。外周部３６０は、リム部３３の開口部３０３を覆っている。これにより、配置空間３００に配置された支持体２０は、フランジ部３３１と、内周部３３０と、横面部３３６と、外周部３６０とにより覆われている。
【００５１】
本実施形態のスカート部３６は、図６に示すように被固定部３７をさらに有している。被固定部３７は、支持フレーム２の固定部２００（図２参照）に固定される部分である。被固定部３７は、左右一対の被固定片３７０を含んでいる。一対の被固定片３７０は、スカート部３６の左右両側壁部の後部にそれぞれ一対一の関係で設けられている。
【００５２】
各被固定片３７０は、鉛直な板状に形成されており、スカート部３６の側壁部から内側に向かって突出している。
【００５３】
図７に示すように、一対の被固定片３７０は、一対の固定片２０１の縦片部２０２に沿って配置されている。本実施形態の各被固定片３７０は、図７に示すように、対応する縦片部２０２の後面にパッキンなどの緩衝材７６を介して重ねて配置されている。
【００５４】
一対の被固定片３７０は、一対の縦片部２０２にそれぞれ固着具７４によって固定されている。固着具７４は、ボルト７４０とナット７４１とで構成される。
【００５５】
被固定片３７０および縦片部２０２には、前後方向に貫通した貫通孔２０３と貫通孔３７１がそれぞれ形成されている。ボルト７４０は、貫通孔２０３および貫通孔３７１に後方から通されている。縦片部２０２から前方に突出した、ボルト７４０の軸部は、ナット７４１にねじ込まれている。これにより、被固定片３７０は縦片部２０２に固定されている。
【００５６】
図４に示すように、本実施形態の便器本体３は、トラップ部３５と便器後部３４とをさらに具備している。トラップ部３５は、上流側の端部がボウル部３１の下開口部３１２に接続され、下流側の端部が排水管７２に接続される。排水管７２は、例えば縦面７０に設けられる。
【００５７】
ボウル部３１の内側空間は、トラップ部３５および排水管７２を介して下水管に通じている。トラップ部３５は封水を形成することで、臭気が排水管７２からボウル部３１側へ逆流したり、衛生害虫やねずみがボウル部３１側へ侵入したりすることを防ぐ。
【００５８】
便器後部３４は、ボウル部３１の後方上部に設けられている。便器後部３４は、局部洗浄装置などの機器を内部に収容する部分である。
【００５９】
（１．３）その他の構成
便器１は、便座６１と便蓋６２とをさらに具備している。便座６１と便蓋６２は、便器後部３４に回動可能に取り付けられている。便座６１と便蓋６２は、リム部３３の横面部３３６に載せることができる。すなわち、横面部３３６は、便座６１および便蓋６２を支持する部分である。
【００６０】
便器１は、局部洗浄装置をさらに具備している。局部洗浄装置は、便器後部３４に収納されており、おしり洗浄機能やビデ機能を有している。
【００６１】
便器１は、上述したように、支持フレーム２の固定体２１を縦面７０にねじ止めすることで、縦面７０から前方に突出した状態で縦面７０に取り付けられる。
【００６２】
（２）便器の製造方法および施工方法
本実施形態の便器１は、ボウル部３１と、リム部３３と、スカート部３６とが、別々に成形される。そして、上述したように、ボウル部３１とリム部３３とが溶着により接合され、リム部３３とスカート部３６とが溶着により接合される。なお、ボウル部３１とリム部３３との溶着は、リム部３３とスカート部３６との溶着の前に行われてもよいし、リム部３３とスカート部３６との溶着の後に行われてもよい。
【００６３】
リム部３３とスカート部３６との溶着（すなわち、支持体収納部３０の第一部分３０１と第二部分３０２との接合）は、図８に示すように、リム部３３の配置空間３００に支持フレーム２の支持体２０が配置された後に行われる。リム部３３とスカート部３６との溶着が先に行われた場合、開口部３０３が外周部３６０によって塞がれて、配置空間３００に支持体２０を配置できなくなるからである。
【００６４】
支持体２０は、開口部３０３を通してリム部３３の配置空間３００に外側から挿入される。これにより、支持体２０は、横面部３３６とフランジ部３３１との間に嵌め込まれる。このとき、支持体２０の上面は横面部３３６に接し、支持体２０の下面はフランジ部３３１に接し、かつ支持体２０の内側の面は内周部３３０の下端部に接する。これにより、支持体２０は、リム部３３に対して、上下両方向への移動、後方への移動、および左右両方向への移動が規制される。そして、このように支持体２０の移動が規制された状態で、リム部３３とスカート部３６とが溶着される。
【００６５】
上述のボウル部３１とリム部３３の溶着、およびリム部３３とスカート部３６との溶着の後、便器本体３の被固定部３７は、図７に示すように固着具７４を用いて、支持フレーム２の固定部２００に固定される。そして、このように便器本体３が固定された支持フレーム２の固定体２１は、図３に示すように、複数の固着具７３を用いて縦面７０に固定され、これにより、便器１が縦面７０から前方に突出した状態で設置される。
【００６６】
（３）変形例
以下、上記実施形態の変形例について説明する。
【００６７】
（変形例１）
以下に示す変形例１の説明では、構成に付記される符号の末尾に「ａ」を追加する。また、上記実施形態に対応する構成については、上記実施形態の構成と同じ符号の末尾に「ａ」を追加した符号を付記して、重複する説明は省略する。
【００６８】
上記実施形態の便器１は、ボウル部３１とスカート部３６とが別体であるが、本変形例の便器１ａは、図９に示すようにボウル部３１ａとスカート部３６ａとが一体に形成されている。ボウル部３１ａの突出片３２ａの外側端部は、外周部３６０ａの下端部に一体に繋がっている。支持体収納部３０ａの第二部分３０２ａは、突出片３２ａと外周部３６０ａとで構成されている。
【００６９】
（変形例２）
以下に示す変形例２の説明では、構成に付記される符号の末尾に「ｂ」を追加する。また、上記実施形態に対応する構成については、上記実施形態の構成と同じ符号の末尾に「ｂ」を追加した符号を付記して、重複する説明は省略する。
【００７０】
上記実施形態の便器１は、支持体収納部３０の外周部３６０が、スカート部３６の上端部で構成されているが、本変形例の便器１ｂは、図１０に示すように外周部３６０ｂが、リム部３３ｂの横面部３３６ｂと一体に形成されている。
【００７１】
リム部３３ｂ（すなわち、支持体収納部３０ｂの第一部分３０１ｂ）に形成された配置空間３００ｂは、フランジ部３３１ｂと、内周部３３０ｂと、横面部３３６ｂと、外周部３６０ｂとによって囲まれた空間である。
【００７２】
リム部３３ｂには、フランジ部３３１ｂの外側端部と外周部３６０ｂの下端部との間に開口部３０３ｂが形成されている。配置空間３００ｂは、リム部３３ｂをスカート部３６ｂおよびボウル部３１ｂに接合する前の状態において、開口部３０３ｂを介して下方に開口する。
【００７３】
支持体収納部３０ｂの第二部分３０２ｂは、ボウル部３１ｂとスカート部３６ｂとで構成されている。外周部３６０ｂの下端部は、スカート部３６ｂの上端部に溶着により接合されている。
【００７４】
本変形例の支持体２０ｂは、開口部３０３ｂを通してリム部３３ｂの配置空間３００ｂに挿入され、これにより、支持体２０ｂはフランジ部３３１ｂと横面部３３６ｂとの間に嵌め込まれる。そして、このように配置空間３００ｂに支持体２０ｂが配置された状態で、リム部３３ｂに対して、ボウル部３１ｂとスカート部３６ｂとが溶着される。
【００７５】
（変形例３）
以下に示す変形例３の説明では、構成に付記される符号の末尾に「ｃ」を追加する。また、上記実施形態に対応する構成については、上記実施形態の構成と同じ符号の末尾に「ｃ」を追加した符号を付記して、重複する説明は省略する。
【００７６】
本変形例の便器１ｃの内周部３３０ｃは、図１１に示すように、上記実施形態のボウル部３１に相当する部分と一体に形成されている。すなわち、ボウル部３１ｃは、内周部３３０ｃを含んでいる。なお、本変形例のボウル部３１ｃには、突出片３２は形成されていない。
【００７７】
支持体収納部３０ｃの第一部分３０１ｃは、ボウル部３１ｃの内周部３３０ｃと、スカート部３６ｃの上端部（外周部３６０ｃ）とで構成されている。配置空間３００ｃは、内周部３３０ｃと外周部３６０ｃとで囲まれた空間である。ボウル部３１ｃの上端部とスカート部３６ｃの上端部との間には、開口部３０３ｃが形成されている。配置空間３００ｃは、リム部３３ｃがスカート部３６ｃおよびボウル部３１ｃに接合される前の状態において、開口部３０３ｃを介して上方に開口する。
【００７８】
支持体収納部３０ｃの第二部分３０２ｃは、リム部３３ｃの横面部３３６ｃで構成されている。横面部３３６ｃの内側端部は、内周部３３０ｃの上端部に溶着により接合されている。横面部３３６ｃの外側端部は、スカート部３６ｃの上端部に溶着により接合されている。
【００７９】
本変形例の支持体２０ｃは、開口部３０３ｃを通して配置空間３００ｃに挿入される。そして、このように配置空間３００ｃに支持体２０ｃが配置された状態で、リム部３３ｃは、ボウル部３１ｃとスカート部３６ｃとに溶着される。
【００８０】
（変形例４）
以下に示す変形例４の説明では、構成に付記される符号の末尾に「ｄ」を追加する。また、上記実施形態に対応する構成については、上記実施形態の構成と同じ符号の末尾に「ｄ」を追加した符号を付記して、重複する説明は省略する。
【００８１】
本変形例の便器１ｄのリム部３３ｄ（第一部分３０１ｄ）は、図１２に示すように、内周部３３０ｄから外側に向かって突出した突出部３３７ｄを有している。突出部３３７ｄは、内周部３３０ｄと一体に形成された複数のリブ３３８ｄで構成されている。
【００８２】
複数のリブ３３８ｄの各々は、鉛直な板状に形成されており、内周部３３０ｄから外側に向かって突出している。各リブ３３８ｄは、内周部３３０ｄの上下方向の全長に亘っている。各リブ３３８ｄの上端は、横面部３３６ｄに繋がっている。
【００８３】
複数のリブ３３８ｄは、図１３に示すように、ボウル部３１ｄの周方向に一定の間隔を置いて並んでいる。複数のリブ３３８ｄは、一対の支持部２４ｄおよび前側連結部２５ｄに対応する位置に設けられている。複数のリブ３３８ｄの外側端面は、上下方向の全長にわたって、支持体２０ｄの内側面に沿った鉛直な面である。支持体２０ｄの内側面は、上下方向の全長にわたって、複数のリブ３３８ｄの外側端面に接している。
【００８４】
本変形例では、支持体２０ｄがリム部３３ｄの配置空間３００ｄに配置されたとき、支持体２０ｄの内側面が、複数のリム部３３ｄの外側端面に接する。そして、この状態でリム部３３ｄとスカート部３６ｄとが溶着されて、支持体収納部３０ｄが形成される。
【００８５】
（変形例５）
以下に示す変形例５の説明では、構成に付記される符号の末尾に「ｅ」を追加する。また、上記実施形態に対応する構成については、上記実施形態の構成と同じ符号の末尾に「ｅ」を追加した符号を付記して、重複する説明は省略する。
【００８６】
本変形例の便器１ｅは、図１４に示すように、複数の介在部材１０ｅを具備している。複数の介在部材１０ｅは、支持体収納部３０ｅにおいてボウル部３１ｅの前後両端部と左右両端部に対応する部分にそれぞれ収納されている。
【００８７】
各介在部材１０ｅは、リム部３３ｅ（第一部分３０１ｅ）、スカート部３６ｅ、および支持体２０ｅよりも軟質の材料から形成されており、例えば硬質ゴムから形成されている。
【００８８】
図１５Ａおよび図１５Ｂに示すように、各介在部材１０ｅの内側の面は、リム部３３ｅの内周部３３０ｅの外側の面に沿った形状である。各介在部材１０ｅの上面は水平であり、横面部３３６ｅの下面に沿った形状である。各介在部材１０ｅの下面は水平であり、フランジ部３３１ｅの上面に沿った形状である。各介在部材１０ｅには、外側に向かって開口した溝部１００ｅが形成されている。
【００８９】
各介在部材１０ｅは、内側面の全体が内周部３３０ｅの外側の面に沿っている。また、各介在部材１０ｅは、上面が横面部３３６ｅの下面に沿い、下面がフランジ部３３１ｅの上面に沿っている。
【００９０】
図１４Ａに示すように、支持フレーム２ｅの支持体２０ｅは、後側連結部２７ｅを有している。後側連結部２７ｅは、一対の支持部２４ｅを、ボウル部３１ｅの後方において連結している。すなわち、支持体２０ｅは、ボウル部３１ｅの周方向の全長に亘って設けられている。
【００９１】
後側連結部２７ｅは、一対の支持部２４ｅと同様に、平坦な上面を含む角パイプにより構成されている。後側連結部２７ｅの上面と、一対の支持部２４ｅの上面とは面一である。
【００９２】
図１５Ａおよび図１５Ｂに示すように、支持体２０ｅの一対の支持部２４ｅ、前側連結部２５ｅ、および後側連結部２７ｅは、対応する介在部材１０ｅの溝部１００ｅに嵌め込まれている。これにより、支持体２０ｅは、リム部３３ｅに対する水平方向および上下方向の移動が規制されている。
【００９３】
本変形例の支持体２０ｅは、リム部３３ｅに配置された複数の介在部材１０ｅに嵌め込まれて、配置空間３００ｅに配置される。そして、この状態でリム部３３ｅとスカート部３６ｅとが溶着される。
【００９４】
上述したように支持体２０ｅが複数の介在部材１０ｅに嵌め込まれて、配置空間３００ｅに配置された状態では、各介在部材１０ｅがリム部３３ｅの内周部３３０ｅに沿った状態となる。また、支持体２０ｅは、内側の面および上下面が、溝部１００ｅの内面に沿った状態となる。このため、作業者は、支持体２０ｅをリム部３３ｅに嵌め込まれた複数の介在部材１０ｅによって位置決めした状態で、リム部３３ｅとスカート部３６ｅとの溶着を行うことができる。
【００９５】
本変形例の複数の介在部材１０ｅは、リム部３３ｅ、スカート部３６ｅ、および支持体２０ｅよりも軟質の材料から形成されており、便器本体３ｅはこれら複数の介在部材１０ｅを介して支持体２０ｅに支持されている。このため、介在部材１０ｅを支持体収納部３０ｅおよび支持体２０ｅに密着させることができ、便器本体３ｅが支持体２０ｅに対してがたつき難い。
【００９６】
なお、介在部材１０ｅには、図１６に示すように溝部１００ｅが形成されなくてもよい。
【００９７】
また、本変形例の介在部材１０ｅは、ボウル部３１ｅの前後両端部および左右両端部に対応する箇所に設けられているが、一つの介在部材１０ｅがボウル部３１ｅの周方向の全長に亘って設けられてもよい。
【００９８】
また、介在部材１０ｅの材質は、硬質ゴムに制限されない。介在部材１０ｅは、例えば金属製あるいは木製であってもよい。また、介在部材１０ｅは、軟質ゴムや、テフロン（登録商標）等から形成されてもよい。
【００９９】
また、支持体２０ｅは、複数の介在部材１０ｅに嵌め込まれた後に、リム部３３ｅの配置空間３００ｅに配置され、この状態でリム部３３ｅとスカート部３６ｅとが溶着されてもよい。
【０１００】
（変形例６）
以下に示す変形例６の説明では、構成に付記される符号の末尾に「ｆ」を追加する。また、上記実施形態に対応する構成については、上記実施形態の構成と同じ符号の末尾に「ｆ」を追加した符号を付記して、重複する説明は省略する。
【０１０１】
本変形例の便器１ｆは、図１７Ａに示すようにリム部３３ｆがフランジ部３３１を有しておらず、支持体収納部３０ｆにおいて支持体２０ｆの下面に接する下接触部３０４ｆが、ボウル部３１ｆの突出片３２ｆで構成されている。
【０１０２】
便器１ｆは、支持体２０ｆの上面と、横面部３３６ｆの下面との間に挟み込まれる緩衝材７５ｆを具備している。緩衝材７５ｆは、支持体２０ｆおよびリム部３３ｆよりも軟質であり、例えばゴムから形成される。
【０１０３】
本変形例の支持体２０ｆは、横面部３３６ｆとの間に緩衝材７５ｆが挟み込まれた状態で配置空間３００ｆに配置される。そして、この状態でボウル部３１ｆとリム部３３ｆとが溶着され、かつリム部３３ｆとスカート部３６ｆとが溶着される。
【０１０４】
本変形例では、支持体２０ｆと横面部３３６ｆとの間に存在する緩衝材７５ｆにより、便器本体３ｆが支持体２０ｆに対してがたつくことが抑制される。
【０１０５】
（変形例７）
以下に示す変形例７の説明では、構成に付記される符号の末尾に「ｇ」を追加する。また、上記実施形態に対応する構成については、上記実施形態の構成と同じ符号の末尾に「ｇ」を追加した符号を付記して、重複する説明は省略する。
【０１０６】
本変形例の便器１ｇは、図１７Ｂに示すように、便器本体３ｇのリム部３３ｇがフランジ部３３１を有していない。支持体収納部３０ｇにおいて支持体２０ｇの下面に接する下接触部３０４ｇは、スカート部３６ｇから内側に向かって一体に突出した複数のリブ３８ｇにより構成されている。複数のリブ３８ｇは、スカート部３６ｇの周方向に間隔を介して並んでいる。複数のリブ３８ｇの各々は、スカート部３６ｇの内面に沿って上下方向に延びている。複数のリブ３８ｇの上端は、スカート部３６ｇの上端よりも下方に位置している。
【０１０７】
便器１ｇは、変形例６と同様の緩衝材７５ｇを具備している。本変形例の支持体２０ｇは、横面部３３６ｇとの間に緩衝材７５ｇを挟み込んだ状態で配置空間３００ｇに配置され、この状態でボウル部３１ｇとリム部３３ｇとが溶着され、かつリム部３３ｇとスカート部３６ｇとが溶着される。
【０１０８】
（変形例８）
以下に示す変形例８の説明では、構成に付記される符号の末尾に「ｈ」を追加する。また、上記実施形態に対応する構成については、上記実施形態の構成と同じ符号の末尾に「ｈ」を追加した符号を付記して、重複する説明は省略する。
【０１０９】
本変形例の便器１ｈは、図１８Ａに示すように、支持体収納部３０ｈの第一部分３０１ｈが、ボウル部３１ｈの突出片３２ｈと、スカート部３６ｈの上端部（外周部３６０ｈ）とで構成されている。
【０１１０】
配置空間３００ｈは、突出片３２ｈと外周部３６０ｈとで囲まれた空間である。開口部３０３ｈは、突出片３２ｈの内側端部とスカート部３６ｈの上端との間に形成されており、配置空間３００ｈは開口部３０３ｈを介して内側方および上方に開口している。
【０１１１】
本変形例のリム部３３ｈはフランジ部３３１を有しておらず、支持体収納部３０ｈの第二部分３０２ｈは、リム部３３ｈの内周部３３０ｈと横面部３３６ｈとで構成されている。
【０１１２】
本変形例の支持体収納部３０ｈにおいて支持体２０ｈの下面に接する下接触部３０４ｈは、突出片３２ｈにおいてボウル部３１ｈの前端部に対応する部分における後部で構成されている。
【０１１３】
ボウル部３１ｈは、下接触部３０４ｈの前方に位置して、上面が下接触部３０４ｈよりも下方に位置する仮支持部３２０ｈと、仮支持部３２０ｈの上面と下接触部３０４ｈの上面とを繋ぐ傾斜面３２１ｈとを有している。
【０１１４】
図１８Ａに示す例では、仮支持部３２０ｈは、突出片３２ｈにおいてボウル部３１ｈの前端部に対応する部分における前部で構成されている。また、傾斜面３２１ｈは、突出片３２ｈにおいてボウル部３１ｈの前端部に対応する部分の上面で構成されている。
【０１１５】
本変形例の便器１ｈを製造するにあたって、作業者は、まず支持体２０ｈを仮支持部３２０ｈによって下方から支持された状態にして配置空間３００ｈに配置する。次に作業者は、この状態でボウル部３１ｈとリム部３３ｈとを溶着し、かつリム部３３ｈとスカート部３６ｈとを溶着して、図１８Ｂに示す状態とする。
【０１１６】
次に作業者は、支持フレーム２ｈを便器本体３ｈに対して相対的に後方に移動し、支持体２０ｈを仮支持部３２０ｈの上面から傾斜面３２１ｈを介して下接触部３０４ｈの上面までスライドして、図１８Ａに示す状態とする。これにより、支持体２０ｈは、下接触部３０４ｈと横面部３３６ｈとの間に配置される。
【０１１７】
本変形例では、支持体２０ｈを、傾斜面３２１ｈを利用して、下接触部３０４ｈと横面部３３６ｈとの間に容易に嵌め込むことができる。
【０１１８】
（変形例９）
以下に示す変形例９の説明では、構成に付記される符号の末尾に「ｉ」を追加する。また、上記実施形態に対応する構成については、上記実施形態の構成と同じ符号の末尾に「i」を追加した符号を付記して、重複する説明は省略する。
【０１１９】
本変形例の便器１ｉのスカート部３６ｉは、図１９Ａに示すように変形例７の複数のリブ３８ｇと同様の複数のリブ３８ｉを有している。
【０１２０】
支持体収納部３０ｉの第一部分３０１ｉは、スカート部３６ｉの上端部（外周部３６０ｉ）と、複数のリブ３８ｉとで構成されている。
【０１２１】
配置空間３００ｉは、複数のリブ３８ｉと外周部３６０ｉとで囲まれた空間である。開口部３０３ｉは、複数のリブ３８ｉの内側端部と、スカート部３６iの上端との間に形成されている。配置空間３００ｉは、リム部３３ｉをボウル部３１ｉとスカート部３６ｉとに接合する前の状態において、開口部３０３ｉを介して内側方および上方に開口する。
【０１２２】
本変形例のリム部３３ｉはフランジ部３３１を備えておらず、支持体収納部３０ｉの第二部分３０２ｉは、リム部３３ｉの内周部３３０ｉと横面部３３６ｉとで構成されている。
【０１２３】
本変形例の支持体収納部３０ｉにおいて支持体２０ｉの下面に接する下接触部３０４ｉは、スカート部３６ｉの前端部に設けられたリブ３８ｉの前部で構成されている。
【０１２４】
スカート部３６ｉは、下接触部３０４ｉの後方に位置して、上面が下接触部３０４ｉよりも下方に位置する仮支持部３８０ｉと、仮支持部３８０ｉの上面と下接触部３０４ｉの上面とを繋ぐ傾斜面３８１ｉとを有している。
【０１２５】
図１９Ａに示す例では、仮支持部３８０ｉは、スカート部３６ｉの前端部に設けられたリブ３８ｉの後部で構成されている。また、傾斜面３８１ｉは、当該リブ３８ｉの上面で構成されている。
【０１２６】
本変形例の便器１ｉは、図２０に示すように便器本体３ｉの各被固定片３７０ｉが、支持フレーム２ｉの対応する縦片部２０２ｉの前面に沿って配置されている。なお、本変形例においても、各被固定片３７０ｉと対応する縦片部２０２ｉとの間には、パッキンなどの緩衝材７６ｉが設けられている。
【０１２７】
本変形例の便器１ｉを製造するにあたって、作業者は、まず図１９Ｂに示す支持体２０ｉを仮支持部３８０ｉによって下方から支持された状態にして配置空間３００ｉに配置する。次に作業者は、この状態でボウル部３１ｉとリム部３３ｉとを溶着し、かつリム部３３ｉとスカート部３６ｉとを溶着して、図１９Ｂに示す状態とする。
【０１２８】
次に作業者は、支持フレーム２ｉを便器本体３ｉに対して相対的に前方に移動し、支持体２０ｉを仮支持部３８０ｉの上面から傾斜面３８１ｉを介して下接触部３０４ｉの上面までスライドし、図１９Ａに示す状態とする。これにより、支持体２０ｉは、下接触部３０４ｉと横面部３３６ｉとの間に配置される。
【０１２９】
本変形例では、支持体２０ｉを、傾斜面３８１iを利用して、下接触部３０４ｉと横面部３３６ｉとの間に容易に嵌め込むことができる。
【０１３０】
（変形例１０）
以下に示す変形例１０の説明では、構成に付記される符号の末尾に「ｊ」を追加する。また、上記実施形態に対応する構成については、上記実施形態の構成と同じ符号の末尾に「ｊ」を追加した符号を付記して、重複する説明は省略する。
【０１３１】
本変形例の便器１ｊのスカート部３６ｊは、図２１Ａに示すように、変形例７と同様の複数のリブ３８ｊを有している。
【０１３２】
支持体収納部３０ｊの第一部分３０１ｊは、スカート部３６ｊの上端部（外周部３６０ｊ）と、複数のリブ３８ｊとで構成されている。
【０１３３】
配置空間３００ｊは、複数のリブ３８ｊと外周部３６０ｊとで囲まれた空間である。開口部３０３ｊは、複数のリブ３８ｊの内側端部と、スカート部３６ｊの上端との間に形成されている。配置空間３００ｊは、リム部３３ｊをボウル部３１ｊとスカート部３６ｊとに接合する前の状態において、開口部３０３ｊを介して内側方および上方に開口する。
【０１３４】
本変形例のリム部３３ｊはフランジ部３３１を有しておらず、支持体収納部３０ｊの第二部分３０２ｊは、リム部３３ｊの内周部３３０ｊと横面部３３６ｊとで構成されている。
【０１３５】
本変形例の支持体収納部３０ｊにおいて支持体２０ｊの下面に接する下接触部３０４ｊは、ボウル部３１ｊの下内周部３３２ｊの上部で構成されている。
【０１３６】
スカート部３６ｊは、下接触部３０４ｊの前方に位置して、上面が下接触部３０４ｊよりも下方に位置する仮支持部３８０ｊを有している。ボウル部３１ｊは、後端が下接触部３０４ｊの上面の前端に繋がり、前方に近い部分ほど下方に位置するように傾斜した傾斜面３２１ｊを有している。
【０１３７】
図２１Ａに示す例では、仮支持部３８０ｊは、スカート部３６ｊの前端部に設けられたリブ３８ｊで構成されている。また、傾斜面３２１ｊは、下内周部３３２ｊの下部の上面で構成されている。
【０１３８】
本変形例の便器１ｊを製造するにあたって、作業者は、まず支持体２０ｊを仮支持部３８０ｊによって下方から支持された状態にして配置空間３００ｊに配置する。次に作業者は、この状態でボウル部３１ｊとリム部３３ｊとを溶着し、かつリム部３３ｊとスカート部３６ｊとを溶着して、図２１Ｂに示す状態とする。
【０１３９】
次に作業者は、支持フレーム２ｊを便器本体３ｊに対して相対的に後方に移動し、支持体２０ｊを仮支持部３８０ｊの上面から傾斜面３２１ｊを介して下接触部３０４ｊの上面までスライドして、図２１Ａに示す状態とする。これにより、支持体２０ｊは、下接触部３０４ｊと横面部３３６ｊとの間に嵌め込まれる。
【０１４０】
本変形例では、支持体２０ｊを、傾斜面３２１ｊを利用して、下接触部３０４ｊと横面部３３６ｊとの間に容易に嵌め込むことができる。
【０１４１】
（変形例１１）
以下に示す変形例１１の説明では、構成に付記される符号の末尾に「ｋ」を追加する。また、上記実施形態に対応する構成については、上記実施形態の構成と同じ符号の末尾に「ｋ」を追加した符号を付記して、重複する説明は省略する。
【０１４２】
本変形例の便器１ｋは、図２２Ａに示すように、便器本体３ｋの被固定片３７０ｋを支持フレーム２ｋの縦片部２０２ｋに固定するための固着具７４ｋが、ビスである。被固定片３７０ｋには、前後方向に貫通した貫通孔３７２ｋが形成されている。縦片部２０２ｋには、前後方向に貫通したねじ孔２０４ｋが形成されている。固着具７４ｋは、貫通孔３７２ｋおよび緩衝材７６ｋに後方から通されて、ねじ孔２０４ｋにねじ込まれている。これにより、被固定片３７０ｋは縦片部２０２に固定されている。
【０１４３】
（変形例１２）
以下に示す変形例１２の説明では、構成に付記される符号の末尾に「Ｌ」を追加する。また、上記実施形態に対応する構成については、上記実施形態の構成と同じ符号の末尾に「Ｌ」を追加した符号を付記して、重複する説明は省略する。
【０１４４】
本変形例の便器１Ｌは、図２２Ｂに示すように、便器本体３Ｌの被固定片３７０Ｌを、支持フレーム２Ｌの縦片部２０２Ｌに固定するための固着具７４Ｌが、タッピングビスである。固着具７４Ｌは、被固定片３７０Ｌ、緩衝材７６Ｌ、および縦片部２０２Ｌにねじ込まれている。これにより、被固定片３７０Ｌは縦片部２０２Ｌに固定されている。
【０１４５】
（変形例１３）
以下に示す変形例１３の説明では、構成に付記される符号の末尾に「ｍ」を追加する。また、上記実施形態に対応する構成については、上記実施形態の構成と同じ符号の末尾に「ｍ」を追加した符号を付記して、重複する説明は省略する。
【０１４６】
本変形例の便器１ｍは、図２３に示すように、トラップ部３５ｍが電動式のトラップ装置で構成されている。
【０１４７】
トラップ部３５ｍは、後端が上下方向に移動可能なトラップ筒３５１ｍと、トラップ筒３５１ｍを駆動する駆動部３５２ｍと、トラップ筒３５１ｍを収容するケース３５３ｍとを備えている。トラップ筒３５１ｍの後端が、上方を向くと、トラップ筒３５１ｍによって封水が形成される。トラップ筒３５１ｍの後端が、後方を向くと、ボウル部３１ｍ内の水が、トラップ筒３５１ｍを介して排出される。駆動部３５２ｍの駆動源は、例えばモータである。
【０１４８】
トラップ部３５ｍの下端（ケース３５３ｍの下端）は、スカート部３６ｍの下端よりも上方に位置している。これにより、本変形例のトラップ部３５ｍは、スカート部３６ｍの内部に収容される。トラップ部３５ｍは、上記実施形態のようなトラップ部３５に比べて重量が大きくなるが、支持フレーム２ｍによって縦面７０に強固に固定されているため、がたつくことなく、便器本体３ｍを支持することができる。
【０１４９】
（４）応用例
上記実施形態のボウル部３１とリム部３３とは、溶着ではなく、接着剤を用いた接着により接合されてもよい。また、上記実施形態のリム部３３とスカート部３６とは、接着剤を用いた接着により接合されてもよい。
【０１５０】
上記実施形態の便器本体３は合成樹脂製であるが、金属製や、陶器製であってもよく、便器本体３の材質は限定されない。
【０１５１】
上記実施形態の支持フレーム２の固定部２００は、便器本体３の被固定部３７に固着具７４で固定されているが、固着具７４は省略してもよい。すなわち、この場合、被固定部３７が固定部２００の後面に沿って配置され、これにより、便器本体３は支持フレーム２に対して前方に移動することが規制される。
【０１５２】
上記実施形態の一対の固定部２００は、省略可能である。この場合、便器本体３は、外周部３６０が平面視Ｕ字状の支持体２０の外側の面に接することで、後方への移動および左右方向の移動が規制される。
【０１５３】
上記実施形態の一対の支持部２４は、前側連結部２５により連結されていたが、この前側連結部２５はなくてもよい。すなわち、支持体２０として、一対の支持部２４の先端部が互いに連結されていなくてもよいし、上記実施形態のように一対の支持部２４の先端同士が互いに連結されていてもよい。
【０１５４】
上記実施形態の支持体２０は、中空の角パイプにより構成されているが、例えば、中実の角材であってもよく、また、断面Ｃ字状，断面Ｉ字状，断面Ｔ字状，断面Ｄ字状，断面Ｏ字状，断面Ｌ字状に形成されてもよい。
【０１５５】
上記実施形態の便器１が取り付けられる縦面７０は、厳密に鉛直面だけを意味するのではなく、上下方向および左右方向に沿った面であれば、「縦面」の範疇に含まれる。すなわち縦面７０には、やや前傾した面も含まれるし、やや後傾した面も含まれる。また、縦面７０は平面であってもよいし、凹凸のある面であってもよい。
【０１５６】
上記実施形態の縦面７０は、トイレルームの壁面により構成されていたが、例えば、キャビネットなどの箱体の前面により構成されてもよく、縦面７０は壁面に限定されない。
【０１５７】
上記実施形態の便器１は、ユーザーが便座６１に着座可能な、いわゆる洋式の便器であったが、例えば、男性の小便用の便器に適用してもよい。この場合においても、縦面に支持フレームを固定し、便器本体を支持フレームに支持させるようにして構成される。男性の小便用の便器に適用することで、例えば、ユーザーが便器に手を掛けた際の外力に対して強くすることができる。
【０１５８】
上記実施形態と変形例１〜１３とで説明した構成は、適宜組み合わせて適用可能である。
【０１５９】
（５）効果
以下、上述した実施形態および変形例１〜１３に示した便器１の製造方法の構成および効果について説明する。
【０１６０】
第１の形態の便器の製造方法は、以下の構成を有する。便器１は、ボウル部３１が形成された便器本体３と、縦面７０に固定可能な支持フレーム２とを具備する。便器本体３は、ボウル部３１の上端部に設けられた支持体収納部３０を備える。支持フレーム２は、支持体収納部３０に収納され、支持体収納部３０を支持する支持体２０を備える。支持体収納部３０は、第一部分３０１と、第一部分３０１とは別体の第二部分３０２とを有する。
第一部分３０１に、支持体２０を配置可能な配置空間３００と、配置空間３００に通じる開口部３０３とが形成される。支持体２０を開口部３０３を通して配置空間３００に配置し、この後、第二部分３０２を開口部３０３を覆うように第一部分３０１に接合して、第一部分３０１と第二部分３０２とにより、支持体２０を覆う。
【０１６１】
第１の形態の便器の製造方法によれば、支持体２０が支持体収納部３０によって覆われた外観の良い便器１を製造できる。また、この便器１は、支持体２０を覆う部材を別途取り付ける必要がないため、施工性が良い。また、支持体２０を配置空間３００に配置し、この後、第二部分３０２を第一部分３０１に接合することで、支持体収納部３０によって支持体２０を覆うことができる。このため、支持体２０が支持体収納部３０で覆われた便器１を簡単に製造できる。
【０１６２】
第２の形態の便器の製造方法は、第１の形態の便器の製造方法において、以下の付加的な構成を有する。第一部分３０１と第二部分３０２との各々は、合成樹脂製である。第二部分３０２を第一部分３０１に溶着又は接着により接合する。
【０１６３】
第２の形態の便器の製造方法によれば、第二部分３０２を第一部分３０１に容易に接合できる。
【０１６４】
第３の形態の便器の製造方法は、第１又は第２の形態の便器１の製造方法において、以下の付加的な構成を有する。支持体収納部３０は、ボウル部３１の上端部から上方に向かって延びた内周部３３０と、内周部３３０の上端部から外側に向かって延びた横面部３３６と、横面部３３６の外側端部から下方に向かって延びて内周部３３０に対向する外周部３６０とを有する。支持体２０は横面部３３６を下方から支持する。
【０１６５】
第３の形態の便器の製造方法によれば、内周部３３０、横面部３３６、および外周部３６０を有する支持体収納部３０に、支持体２０が収納された便器１を製造できる。
【０１６６】
第４の形態の便器の製造方法は、第３の形態の便器の製造方法において、以下の付加的な構成を有する。第一部分３０１は、内周部３３０を含む。
【０１６７】
第４の形態の便器の製造方法によれば、支持体２０が内周部３３０に沿って配置された便器１を製造できる。
【０１６８】
第５の形態の便器の製造方法は、第４の形態の便器の製造方法において、以下の付加的な構成を有する。第一部分３０１ｄは、内周部３３０ｄから外側に向かって突出した突出部３３７ｄを含む。支持体２０ｄは、突出部３３７ｄの外側端面に沿った状態で支持体収納部３０ｄに収納される。
【０１６９】
第５の形態の便器の製造方法によれば、内周部３３０ｄの形状にかかわらず、突出部３３７ｄの外側端面を、支持体２０ｄの内側面に沿った形状にでき、これにより支持体収納部３０ｄに収納した支持体２０ｄのがたつきを抑制できる。
【０１７０】
第６の形態の便器の製造方法は、第４の形態の便器の製造方法において、以下の付加的な構成を有する。便器１ｅは、支持体収納部３０ｅに収納される介在部材１０ｅを具備する。介在部材１０ｅおよび支持体２０ｅを、介在部材１０ｅが内周部３３０ｅの外側面に沿い、かつ支持体２０ｅが介在部材１０ｅの外側面に沿った状態で、配置空間３００ｅに配置し、この後、第二部分３０２ｅを第一部分３０１ｅに接合する。
【０１７１】
第６の形態の便器の製造方法によれば、内周部３３０ｅの形状にかかわらず、介在部材１０ｅの外側面を、支持体２０ｅの内側面に沿った形状にでき、これにより、支持体収納部３０ｅに収納した支持体２０ｅのがたつきを抑制できる。
【０１７２】
第７の形態の便器の製造方法は、第６の形態の便器の製造方法において、以下の付加的な構成を有する。介在部材１０ｅは、外側に向かって開口した溝部１００ｅを有する。介在部材１０ｅおよび支持体２０ｅを、介在部材１０ｅが横面部３３６ｅの下面に沿い、かつ溝部１００ｅに支持体２０ｅが嵌め込まれた状態で、配置空間３００ｅに配置する。この後、第二部分３０２ｅを第一部分３０１ｅに接合する。
【０１７３】
第７の形態の便器の製造方法によれば、支持体２０ｅを介在部材１０ｅの溝部１００ｅに嵌め込むことで、支持体２０ｅが介在部材１０ｅに対して上下方向に移動することが規制される。このため、便器本体３ｅが支持体２０ｅに対してがたつくことが抑制される。
【０１７４】
第８の形態の便器の製造方法は、第６の形態又は第７の形態の便器の製造方法において、以下の付加的な構成を有する。内周部３３０ｅと支持体２０ｅとの各々は、ボウル部３１ｅの周方向の全長に亘って設けられる。介在部材１０ｅおよび支持体２０ｅを、介在部材１０ｅが内周部３３０ｅにおいて少なくともボウル部３１ｅの前後左右の端部に対応する部分に沿い、かつ支持体２０ｅの少なくともボウル部３１ｅの前後左右の端部に対応する部分が介在部材１０ｅに沿った状態で、配置空間３００ｅに配置する。この後、第二部分３０２ｅを第一部分３０１ｅに接合する。
【０１７５】
第８の形態の便器の製造方法によれば、内周部３３０ｅと支持体２０ｅとの各々は、ボウル部３１ｅの周方向の全長に亘って設けられるため、支持体２０ｅが便器本体３ｅに対して前後左右に移動することを規制できる。また、支持体２０ｅは、内周部３３０ｅにおいて少なくともボウル部３１ｅの前後左右の端部に対応する部分に沿って設けられた介在部材１０ｅに沿って設けられるため、支持体収納部３０ｅに収納した支持体２０ｅのがたつきを一層抑制できる。
【０１７６】
第９の形態の便器の製造方法は、第３〜第８の形態のいずれかの便器の製造方法において、以下の付加的な構成を有する。支持体収納部３０は、支持体２０の下面に接する下接触部３０４を有する。
【０１７７】
第９の形態の便器の製造方法によれば、下接触部３０４により支持体２０が下方に移動することを規制できる。
【０１７８】
第１０の形態の便器の製造方法は、第９の形態の便器の製造方法において、以下の付加的な構成を有する。便器１ｆ，１ｇは、支持体２０ｆ，２０ｇと横面部３３６ｆ，３３６ｇとの間に配置される緩衝材７５ｆ，７５ｇを具備する。
【０１７９】
第１０の形態の便器の製造方法によれば、緩衝材７５ｆ，７５ｇにより、便器本体３ｆ，３ｇが支持体２０ｆ，２０ｇに対してがたつくことが抑制される。
【０１８０】
第１１の形態の便器の製造方法は、第９又は第１０の形態の便器の製造方法において、以下の付加的な構成を有する。ボウル部３１ｈは、下接触部３０４ｈと、下接触部３０４ｈの前方に位置して上面が下接触部３０４ｈよりも下方に位置する仮支持部３２０ｈと、仮支持部３２０ｈの上面と下接触部３０４ｈの上面とを繋ぐ傾斜面３２１ｈとを有する。支持体２０ｈを仮支持部３２０ｈで下方から支持した状態で、第二部分３０２ｈを第一部分３０１ｈに接合する。この後、支持フレーム２ｈを便器本体３ｈに対して相対的に移動し、これにより支持体２０ｈを仮支持部３２０ｈの上面から傾斜面３２１ｈを介して下接触部３０４ｈの上面までスライドして、支持体２０ｈを下接触部３０４ｈと横面部３３６ｈとの間に嵌め込む。
【０１８１】
第１１の形態の便器の製造方法によれば、支持体２０ｈを、傾斜面３２１ｈを利用して、下接触部３０４ｈと横面部３３６ｈとの間に嵌め込まれる位置まで案内でき、便器１ｈの製造が容易になる。
【０１８２】
第１２の形態の便器の製造方法は、第９又は第１０の形態の便器の製造方法において、以下の付加的な構成を有する。便器本体３ｉは、ボウル部３１ｉを外側から覆うスカート部３６ｉを備える。スカート部３６ｉは、外周部３６０ｉと、下接触部３０４ｉと、下接触部３０４ｉの後方に位置して上面が下接触部３０４ｉの上面よりも下方に位置する仮支持部３８０ｉと、仮支持部３８０ｉの上面と下接触部３０４ｉの上面とを繋ぐ傾斜面３８１ｉとを有する。支持体２０ｉを仮支持部３８０ｉで下方から支持した状態で、第二部分３０２ｉを第一部分３０１ｉに接合し、この後、支持フレーム２ｉを便器本体３ｉに対して相対的に移動する。これにより支持体２０ｉを仮支持部３８０ｉの上面から傾斜面３８１ｉを介して下接触部３０４ｉの上面までスライドして、支持体２０ｉを下接触部３０４ｉと横面部３３６ｉとの間に嵌め込む。
【０１８３】
第１２の形態の便器の製造方法によれば、支持体２０ｉを、傾斜面３８１ｉを利用して、下接触部３０４ｉと横面部３３６ｉとの間に嵌め込まれる位置まで案内でき、便器１ｉの製造が容易になる。
【０１８４】
第１３の形態の便器の製造方法は、第９又は第１０の形態の便器の製造方法において、以下の付加的な構成を有する。内周部３３０ｊに、下接触部３０４ｊと、後端が下接触部３０４ｊの上面の前端に繋がり、前方に近い部分ほど下方に位置するように傾斜した傾斜面３２１ｊとが形成される。便器本体３ｊは、ボウル部３１ｊを外側から覆うスカート部３６ｊを備える。スカート部３６ｊは、外周部３６０ｊと、傾斜面３２１ｊの前方に位置し、上面が下接触部３０４ｊの上面よりも下方に位置する仮支持部３２０ｊとを有する。支持体２０ｊを仮支持部３２０ｊで下方から支持した状態で、第二部分３０２ｊを第一部分３０１ｊに接合する。この後、支持体２０ｊを仮支持部３２０ｊの上面から傾斜面３２１ｊを介して下接触部３０４ｊの上面までスライドして、支持体２０ｊを下接触部３０４ｊと横面部３３６ｊとの間に嵌め込む。
【０１８５】
第１３の形態の便器の製造方法によれば、支持体２０ｊを、傾斜面３２１ｊを利用して、下接触部３０４ｊと横面部３３６ｊとの間に嵌め込まれる位置まで案内でき、便器１ｊの製造が容易になる。
【０１８６】
第１４の形態の便器の製造方法は、第１〜第１３の形態の便器の製造方法において、以下の付加的な構成を有する。便器本体３は、被固定部３７を備える。支持フレーム２は、固定部２００を備える。被固定部３７の前面が固定部２００の後面に沿った状態で、被固定部３７を固定部２００に固着具７４を用いて固定する。
【０１８７】
第１４の形態の便器の製造方法によれば、固定部２００により被固定部３７の前方への移動を規制できる。また、固着具７４を用いて被固定部３７を固定部２００に固定することで、便器本体３を支持フレーム２に強固に取り付けることができる。
【符号の説明】
【０１８８】
１  便器
１ｅ  便器
１ｆ  便器
１ｇ  便器
１０ｅ  介在部材
１００ｅ  溝部
２  支持フレーム
２ｈ  支持フレーム
２ｉ  支持フレーム
２０  支持体
２０ｄ  支持体
２０ｅ  支持体
２０ｆ  支持体
２０ｇ  支持体
２０ｈ  支持体
２０ｉ  支持体
２０ｊ  支持体
２００  固定部
３  便器本体
３ｈ  便器本体
３ｉ  便器本体
３０  支持体収納部
３０ｄ  支持体収納部
３０ｅ  支持体収納部
３００  配置空間
３００ｅ  配置空間
３０１  第一部分
３０１ｄ  第一部分
３０１ｅ  第一部分
３０１ｈ  第一部分
３０１ｉ  第一部分
３０１ｊ  第一部分
３０２  第二部分
３０２ｅ  第二部分
３０２ｈ  第二部分
３０２ｉ  第二部分
３０２ｊ  第二部分
３０３  開口部
３０４  下接触部
３０４ｈ  下接触部
３０４ｉ  下接触部
３０４ｊ  下接触部
３１  ボウル部
３１ｉ  ボウル部
３２０ｈ  仮支持部
３８０ｉ  仮支持部
３２０ｊ  仮支持部
３２１ｈ  傾斜面
３２１ｊ  傾斜面
３３０  内周部
３３０ｄ  内周部
３３０ｅ  内周部
３３０ｊ  内周部
３３６  横面部
３３６ｅ  横面部
３３６ｆ  横面部
３３６ｇ  横面部
３３６ｊ  横面部
３３７ｄ  突出部
３６  スカート部
３６ｉ  スカート部
３６０  外周部
３６０ｉ  外周部
３７  被固定部
３８０ｉ  仮支持部
３８０ｊ  仮支持部
３８１ｉ  傾斜面
７０  縦面
７４  固着具
７５ｆ  緩衝材
７５ｇ  緩衝材
【図１】
0006611046.tif 000002
【図２】
0006611046.tif 000003
【図３】
0006611046.tif 000004
【図４】
0006611046.tif 000005
【図５】
0006611046.tif 000006
【図６】
0006611046.tif 000007
【図７】
0006611046.tif 000008
【図８】
0006611046.tif 000009
【図９】
0006611046.tif 000010
【図１０】
0006611046.tif 000011
【図１１】
0006611046.tif 000012
【図１２】
0006611046.tif 000013
【図１３】
0006611046.tif 000014
【図１４】
0006611046.tif 000015
【図１５】
0006611046.tif 000016
【図１６】
0006611046.tif 000017
【図１７】
0006611046.tif 000018
【図１８】
0006611046.tif 000019
【図１９】
0006611046.tif 000020
【図２０】
0006611046.tif 000021
【図２１】
0006611046.tif 000022
【図２２】
0006611046.tif 000023
【図２３】
0006611046.tif 000024